(57)【要約】      （修正有）【課題】回路基板のセンサーを高精度に位置決めすることが可能なステータユニット、モータ及びファンモータを提供する。【解決手段】ステータユニット５は、上下に延びる中心軸回りに回転するロータ４２と径方向に対向するステータ５１と、少なくとも前記ステータ５１の軸方向下側を覆うベース部５３と、前記ベース部５３と軸方向に対向し、センサー５４１を有する回路基板５４と、を備える。前記ベース部５３は、前記センサー５４１の近傍で、前記回路基板５４と軸方向に隣接して配置される位置決め部６０を備える。【選択図】図３
2020088990.tif 000002
【特許請求の範囲】
【請求項１】
上下に延びる中心軸回りに回転するロータと径方向に対向するステータと、
少なくとも前記ステータの軸方向下側を覆うベース部と、
前記ベース部と軸方向に対向し、センサーを有する回路基板と、
を備え、
前記ベース部は、前記センサーの近傍で、前記回路基板と軸方向に隣接して配置される位置決め部を備える、ステータユニット。
【請求項２】
上下に延びる中心軸回りに回転するロータと径方向に対向するステータと、
少なくとも前記ステータの軸方向上部を収容するカバー部材と、
少なくとも前記ステータの軸方向下側を覆うベース部と、
前記カバー部材及び前記ベース部と軸方向に対向し、前記カバー部材と前記ベース部との間にセンサーを有する回路基板と、
を備え、
前記カバー部材及び前記ベース部の少なくとも一方は、前記センサーの近傍で、前記回路基板と軸方向に隣接して配置される位置決め部を備える、ステータユニット。
【請求項３】
前記位置決め部は、前記ベース部に配置されるベース側位置決め部を含む、請求項１または請求項２に記載のステータユニット。
【請求項４】
前記位置決め部は、前記カバー部材に配置されるカバー側位置決め部を含む、請求項２に記載のステータユニット。
【請求項５】
前記位置決め部は、前記ベース部に配置されるベース側位置決め部及び前記カバー部材に配置されるカバー側位置決め部を含む、請求項２に記載のステータユニット。
【請求項６】
前記位置決め部の少なくとも一部は、前記センサーと径方向に重なる、請求項１から請求項５のいずれかに記載のステータユニット。
【請求項７】
前記位置決め部の少なくとも一部は、前記センサーよりも径方向外側に配置される、請求項６に記載のステータユニット。
【請求項８】
前記ベース側位置決め部は、前記回路基板に向かって突出するベース側凸部を備える、請求項３または請求項５に記載のステータユニット。
【請求項９】
前記ベース側位置決め部の少なくとも一部は、前記センサーと軸方向に重なる、請求項８に記載のステータユニット。
【請求項１０】
前記カバー側位置決め部は、前記回路基板に向かって突出するカバー側凸部を備える、請求項４または請求項５に記載のステータユニット。
【請求項１１】
前記ベース側位置決め部は、前記回路基板に向かって突出するベース側凸部を備え、
前記カバー側位置決め部は、前記回路基板に向かって突出するカバー側凸部を備える、請求項５に記載のステータユニット。
【請求項１２】
前記ベース側位置決め部と、前記カバー側位置決め部との少なくとも一部は、軸方向に重なる、請求項５または請求項１１に記載のステータユニット。
【請求項１３】
前記位置決め部は、さらに前記回路基板に対して周方向に隣接して配置される、請求項１から請求項１２のいずれかに記載のステータユニット。
【請求項１４】
前記センサーは、磁気を感知する磁気センサーである、請求項１から請求項１３のいずれかに記載のステータユニット。
【請求項１５】
少なくとも前記カバー部材の内部において、当該カバー部材と前記ステータとの間に充填される充填部を備え、
前記回路基板は、前記充填部によって覆われている、請求項２に記載のステータユニット。
【請求項１６】
請求項１から請求項１５のいずれかに記載されたステータユニットと、
前記ステータユニットと径方向に対向するマグネットとともに前記中心軸を中心として回転するロータと、
を備える、モータ。
【請求項１７】
請求項１６に記載されたモータと、ハウジングと、インペラと、を備える、ファンモータ。
【発明の詳細な説明】
【技術分野】
【０００１】
本発明は、ステータユニット、モータ及びファンモータに関する。
【背景技術】
【０００２】
従来のファンモータが、特許文献１に開示されている。特許文献１に開示されたファンモータは、巻線を含むステータと、回路基板とが、電気絶縁体で被覆されている。電気絶縁体は、モールド樹脂である。これにより、ステータ及び回路基板をモールド樹脂によって保護することができ、防塵、防湿対策をモータに施すことが可能である。
【先行技術文献】
【特許文献】
【０００３】
【特許文献１】特開２０１４−２１１０９７公報
【発明の概要】
【発明が解決しようとする課題】
【０００４】
しかしながら、特許文献１に開示された従来のファンモータでは、モールド樹脂の硬化時及び温度変化時の収縮または膨張によって回路基板が変形する場合がある。また、回路基板をモールド樹脂で保護しない場合であっても、ファンモータの組立時に回路基板が変形する場合がある。これにより、例えば回路基板に実装された、ロータの位置を検出するためのセンサーに位置ずれが生じ、ロータの回転制御の精度が低下することが懸念された。
【０００５】
上記の点に鑑み、本発明は、回路基板のセンサーを高精度に位置決めすることが可能なステータユニット、モータ及びファンモータを提供することを目的とする。
【課題を解決するための手段】
【０００６】
本発明の第１の例示的なステータユニットは、上下に延びる中心軸回りに回転するロータと径方向に対向するステータと、少なくとも前記ステータの軸方向下側を覆うベース部と、前記ベース部と軸方向に対向し、センサーを有する回路基板と、を備える。前記ベース部は、前記センサーの近傍で、前記回路基板と軸方向に隣接して配置される位置決め部を備える。
【０００７】
本発明の第２の例示的なステータユニットは、上下に延びる中心軸回りに回転するロータと径方向に対向するステータと、少なくとも前記ステータの軸方向上部を収容するカバー部材と、少なくとも前記ステータの軸方向下側を覆うベース部と、前記カバー部材及び前記ベース部と軸方向に対向し、前記カバー部材と前記ベース部との間にセンサーを有する回路基板と、を備える。前記カバー部材及び前記ベース部の少なくとも一方は、前記センサーの近傍で、前記回路基板と軸方向に隣接して配置される位置決め部を備える。
【０００８】
本発明の例示的なモータは、上記構成のステータユニットと、前記ステータユニットと径方向に対向するマグネットとともに前記中心軸を中心として回転するロータと、を備える。
【０００９】
本発明の例示的なファンモータは、上記構成のモータと、ハウジングと、インペラと、を備える。
【発明の効果】
【００１０】
本発明の例示的なステータユニット、モータ及びファンモータによれば、位置決め部が、センサーの近傍で、回路基板と軸方向に隣接して配置される。これにより、回路基板のセンサーの近傍の、カバー部材に向かう軸方向変位、或いはベース部に向かう軸方向変位を抑制することができる。したがって、回路基板のセンサーを高精度に位置決めすることが可能である。
【図面の簡単な説明】
【００１１】
【図１】図１は、本発明の実施形態に係るファンモータの一例の全体斜視図である。
【図２】図２は、ファンモータの縦断面図である。
【図３】図３は、ステータユニットの一部を示す縦端面図である。
【図４】図４は、変形例１のステータユニットの一部を示す縦端面図である。
【図５】図５は、変形例２のステータユニットの一部を示す縦端面図である。
【図６】図６は、変形例３のステータユニットの一部を示す縦端面図である。
【図７】図７は、変形例４のステータユニットを示す縦断面図である。
【図８】図８は、変形例のモータの一部を示す縦端面図である。
【発明を実施するための形態】
【００１２】
以下、本発明の例示的な実施形態について、図面を参照しながら詳細に説明する。本書では、ファンモータの中心軸が延びる方向を単に「軸方向」と呼び、ファンモータの中心軸を中心として中心軸と直交する方向を単に「径方向」と呼び、ファンモータの中心軸を中心とする円弧に沿う方向を単に「周方向」と呼ぶ。また、本書では、説明の便宜上、軸方向を上下方向とし、図２における上下方向をファンモータの上下方向として各部の形状及び位置関係を説明する。ファンモータの「上側」が「吸気側」であり、「下側」が「排気側」である。なお、この上下方向の定義がファンモータの使用時の向き及び位置関係を限定するものではない。また、本書では、軸方向に平行な断面を「縦断面」と呼び、軸方向に平行な切断部端面図を「縦端面図」と呼ぶ。また、本書で用いる「平行」、「直交」は、厳密な意味で平行、直交を表すものではなく、略平行、略直交を含む。
【００１３】
＜１．ファンモータの全体構成＞
図１は、本発明の実施形態に係るファンモータ１の一例の全体斜視図である。図２は、ファンモータ１の縦断面図である。図３は、モータ４の一部を示す縦断面図である。
【００１４】
ファンモータ１は、アウターロータ型のファンモータである。ファンモータ１は、ハウジング２と、インペラ３と、モータ４と、を備える。すなわち、本実施形態のファンモータ１は、モータ４を備える。
【００１５】
ハウジング２は、インペラ３及びモータ４よりも外側に配置される。ハウジング２は、ハウジング筒部２１と、リブ部２２と、を備える。
【００１６】
ハウジング筒部２１は、インペラ３の径方向外側に配置される。ハウジング筒部２１は、軸方向上下に延びる円筒状である。ハウジング筒部２１の内部には、インペラ３及びモータ４が収容される。ハウジング筒部２１の軸方向上端には、円形状の開口部である吸気口２１１が配置される。ハウジング筒部２１の軸方向下端には、円形状の開口部である排気口２１２が配置される。
【００１７】
リブ部２２は、ハウジング筒部２１の径方向内側に配置される。リブ部２２は、ハウジング筒部２１の軸方向下部に配置され、排気口２１２に隣接する。軸方向と直交する方向におけるリブ部２２の外端部は、ハウジング筒部２１の径方向内側面に接続される。軸方向と直交する方向におけるリブ部２２の内端部は、後述するベース部５３の径方向外側面に接続される。リブ部２２は、軸方向と直交する方向に延びてハウジング筒部２１と、ベース部５３とを接続する。すなわち、ハウジング２は、リブ部２２を介して、モータ４を支持する。リブ部２２は、周方向に複数配列される。ハウジング筒部２１の径方向内側を流通する空気は、隣り合うリブ部２２の間を通過する。
【００１８】
インペラ３は、ハウジング２の径方向内側であって、モータ４の径方向外側に配置される。インペラ３は、モータ４によって中心軸Ｃ回りに回転する。インペラ３は、インペラカップ３１と、複数の羽根３２と、を備える。
【００１９】
モータ４は、ハウジング２の径方向内側に配置される。モータ４は、リブ部２２を介して、ハウジング２に支持される。モータ４は、インペラ３を中心軸Ｃ回りに回転させる。
モータ４は、シャフト４１と、ロータ４２と、ステータユニット５と、を備える。
【００２０】
シャフト４１は、中心軸Ｃに沿って配置される。シャフト４１は、例えばアルミニウムやステンレス等の金属で構成され、上下に延びる柱状の部材である。シャフト４１は、後述する軸受５６によって中心軸Ｃ回りに回転可能に支持される。すなわち、シャフト４１は、上下に延びる中心軸Ｃ回りに回転する。シャフト４１の軸方向上端部には、インペラ３が接続される。
【００２１】
ロータ４２は、ステータユニット５の径方向外側に配置される。ロータ４２は、ステータユニット５に対して中心軸Ｃ回りに回転する。ロータ４２は、ロータヨーク４２１と、マグネット４２２と、を備える。ロータ４２は、インペラ３及びシャフト４１と接続される。
【００２２】
ロータヨーク４２１は、磁性体で構成された略円筒状の部材である。ロータヨーク４２１は、インペラカップ３１の径方向内側に固定される。マグネット４２２は、円筒状であり、ロータヨーク４２１の径方向内側に固定される。マグネット４２２は、ステータ５１の径方向外側に配置され、ステータユニット５と径方向に対向する。マグネット４２２の内周側の磁極面には、Ｎ極及びＳ極が周方向に交互に並ぶ。
【００２３】
ステータユニット５は、ロータ４２の径方向内側に配置される。ステータユニット５は、ステータ５１と、カバー部材５２と、ベース部５３と、回路基板５４と、を備える。さらに、ステータユニット５は、軸受ホルダ５５と、軸受５６と、を備える。
【００２４】
ステータ５１は、軸受５６を保持する筒状の軸受ホルダ５５の径方向外側面に固定される。ステータ５１は、中心軸Ｃを中心とする環状である。ステータ５１は、上下に延びる中心軸Ｃ回りに回転するロータ４２と径方向に対向する。ステータ５１は、ステータコア５１１と、インシュレータ５１２と、コイル５１３と、を備える。
【００２５】
ステータコア５１１は、例えばケイ素鋼板等の電磁鋼板を上下に積層して構成される。ステータコア５１１は、軸受ホルダ５５の径方向外側面に固定される。ステータコア５１１の径方向外側面は、マグネット４２２の径方向内側面と径方向に対向する。
【００２６】
インシュレータ５１２は、例えば絶縁性を有する樹脂で構成される。インシュレータ５１２は、ステータコア５１１の外面を囲んで設けられる。コイル５１３は、インシュレータ５１２を介して、ステータコア５１１の周囲に巻き回された導線で構成される。当該導線は、回路基板５４と電気的に接続される。
【００２７】
カバー部材５２は、ステータ５１の軸方向上側及び径方向外側に配置される。本実施形態のカバー部材５２は、少なくともステータ５１の軸方向上部を収容する。なお詳細に言えば、ステータ５１は、カバー部材５２を隔てて、ロータ４２と径方向に対向する。カバー部材５２は、カバー蓋部５２１と、カバー筒部５２２と、フランジ部５２３と、を備える。
【００２８】
カバー蓋部５２１は、ステータ５１の軸方向上側に配置され、中心軸Ｃを中心として径方向に拡がる。カバー蓋部５２１の径方向内端は、軸受ホルダ５５の径方向外側面と接触する。カバー蓋部５２１の径方向外端は、カバー筒部５２２の軸方向上端に接続される。
【００２９】
カバー筒部５２２は、ステータ５１の径方向外側に配置され、軸方向に沿って上下に延びる。カバー筒部５２２の径方向内側面は、ステータ５１の径方向外側面と対向する。カバー筒部５２２の軸方向下端は、フランジ部５２３の径方向内端に接続される。
【００３０】
フランジ部５２３は、カバー筒部５２２の軸方向下端から径方向外側に向かって延びる。フランジ部５２３は、中心軸Ｃを中心として径方向に拡がる環状である。フランジ部５２３の径方向外端部は、後述するベース部５３のベース外筒部５３３と接触する。
【００３１】
ベース部５３は、ステータ５１の軸方向下側であって、ファンモータ１の軸方向下端に配置される。本実施形態のベース部５３は、少なくともステータ５１の軸方向下側を覆う。ベース部５３は、ベース蓋部５３１と、ベース内筒部５３２と、ベース外筒部５３３と、を有する。
【００３２】
ベース蓋部５３１は、ステータ５１の軸方向下側に配置され、中心軸Ｃを中心として径方向に拡がる環状である。ベース蓋部５３１の径方向内端は、ベース内筒部５３２の軸方向下端に接続される。ベース蓋部５３１の径方向外端は、ベース外筒部５３３の軸方向下端に接続される。
【００３３】
ベース内筒部５３２は、軸方向に沿って上下に延びる筒状である。ベース内筒部５３２は、径方向内側面において軸受ホルダ５５と接触し、軸受ホルダ５５を保持する。ベース内筒部５３２の軸方向上部は、ステータコア５１１及びインシュレータ５１２に隣接する。
【００３４】
ベース外筒部５３３は、軸方向に沿って上下に延びる。ベース外筒部５３３の軸方向上端は、カバー部材５２のフランジ部５２３と接触する。
【００３５】
回路基板５４は、カバー部材５２のフランジ部５２３及びステータ５１の軸方向下側であって、ベース部５３の軸方向上側に配置される。すなわち、本実施形態の回路基板５４は、カバー部材５２及びベース部５３と軸方向に対向する。回路基板５４は、例えば中心軸Ｃを中心として径方向に広がる円板状である。回路基板５４には、コイル５１３の導線が電気的に接続される。
【００３６】
回路基板５４には、コイル５１３に駆動電流を供給するための電子回路が実装される。例えば、回路基板５４の軸方向上面には、センサー５４１が実装される。すなわち、本実施形態の回路基板５４は、カバー部材５２とベース部５３との間にセンサー５４１を有する。本実施形態のセンサー５４１は、磁気を感知する磁気センサーである。センサー５４１は、マグネット４２２の軸方向下側に配置され、マグネット４２２と軸方向に対向する。センサー５４１は、ロータ４２の周方向の位置を検出する。
【００３７】
軸受ホルダ５５は、ステータ５１及びベース内筒部５３２の径方向内側に配置される。軸受ホルダ５５は、中心軸Ｃを中心とした円筒状である。軸受ホルダ５５の軸方向下部は、ベース内筒部５３２に固定される。軸受ホルダ５５の軸方向上端は、ステータ５１の軸方向上側に位置する。軸受ホルダ５５の径方向内側には、軸受５６が収容されて保持される。軸受ホルダ５５の径方向外側面には、ステータコア５１１が固定される。
【００３８】
上記構成のファンモータ１において、回路基板５４を介してステータ５１のコイル５１３に駆動電流が供給されると、ステータコア５１１に径方向の磁束が生じる。ステータ５１の磁束によって生じる磁界と、マグネット４２２によって生じる磁界とが作用し、ロータ４２の周方向にトルクが発生する。このトルクによって、ロータ４２及びインペラ３が、中心軸Ｃを中心として回転する。インペラ３が回転すると、複数の羽根３２によって気流が生じる。すなわち、ファンモータ１において、上側を吸気側とし、下側を排気側とした気流を生じさせ、送風を行うことができる。
【００３９】
＜２．ステータユニットの詳細構成＞
ステータユニット５は、位置決め部６０を備える。詳細に言えば、本実施形態のベース部５３は、位置決め部６０を備える。位置決め部６０は、センサー５４１の近傍で、回路基板５４と軸方向に隣接して配置される。なお、センサー５４１の近傍とは、センサー５４１と位置決め部６０との距離が、センサー５４１と回路基板５４の径方向外側面との距離よりも短い位置関係を意味する。位置決め部６０は、回路基板５４に接触していても良いし、回路基板５４に対して隙間を隔てて離間していても良い。
【００４０】
なお、本実施形態の変形例として後に説明するとおり、位置決め部６０は、カバー部材５２及びベース部５３の少なくとも一方に設けられていれば良い。すなわち、本実施形態のカバー部材５２及びベース部５３の少なくとも一方は、センサー５４１の近傍で、回路基板５４と軸方向に隣接して配置される位置決め部６０を備える。
【００４１】
上記構成によれば、位置決め部６０によって、回路基板５４のセンサー５４１近傍の、ベース部５３に向かう軸方向変位、或いはカバー部材５２に向かう軸方向変位を抑制することができる。したがって、回路基板５４のセンサー５４１を高精度に位置決めすることが可能である。
【００４２】
センサー５４１は、磁気を感知する磁気センサーであるので、ロータ４２のマグネット４２２の位置を検出することができる。これにより、モータ４の回転を高精度に制御することが可能になる。
【００４３】
本実施形態の位置決め部６０は、ベース部５３に配置されるベース側位置決め部６１を含む。ベース側位置決め部６１は、ベース部５３のベース蓋部５３１の軸方向上側に配置される。ベース側位置決め部６１の軸方向上端部は、回路基板５４と軸方向に隣接する。この構成によれば、回路基板５４の、ベース部５３に向かう軸方向変位を抑制することができる。したがって、回路基板５４のセンサー５４１を高精度に位置決めすることができる。
【００４４】
ベース側位置決め部６１は、ベース側凸部６１１を備える。ベース側凸部６１１は、ベース部５３に配置され、ベース部５３側から回路基板５４と軸方向に隣接する。ベース側凸部６１１は、ベース部５３のベース蓋部５３１から軸方向上側に向かって突出する。すなわち、本実施形態のベース側位置決め部６１は、回路基板５４に向かって突出するベース側凸部６１１を備える。ベース側凸部６１１は、例えば柱状である。ベース側凸部６１１の軸方向上端部は、回路基板５４と軸方向に隣接する。
【００４５】
上記構成によれば、例えば回路基板５４が変形した場合に、ベース側凸部６１１は、センサー５４１の近傍で回路基板５４に接触する。このため、回路基板５４のセンサー５４１の近傍の、ベース部５３に向かう軸方向変位を抑制することができる。したがって、回路基板５４のセンサー５４１を高精度に位置決めすることができる。
【００４６】
また、ベース部５３と回路基板５４との間に空間を確保することができ、当該空間を電子部品の配置等に有効活用することが可能になる。
【００４７】
さらに、位置決め部６０の少なくとも一部は、センサー５４１よりも径方向外側に配置される。この構成によれば、回路基板５４上の電子部品の配置等の自由度を高めることができる。
【００４８】
なお、ベース部５３のベース蓋部５３１の軸方向上側に配置されるベース側位置決め部６１は、ベース側凸部６１１と異なる構成にしても良い。例えば、ベース蓋部５３１の軸方向上側に取り付けられる支持具によって、ベース側位置決め部６１を構成することができる。すなわち、ベース側位置決め部６１は、センサー５４１の近傍で、回路基板５４と軸方向に隣接して配置されていれば良い。これにより、回路基板５４のセンサー５４１の近傍の、ベース部５３に向かう軸方向変位を抑制することができる。
【００４９】
＜３．実施形態の変形例＞
＜３−１．ステータユニットの変形例１＞
図４は、変形例１のステータユニット５の一部を示す縦断面図である。変形例１のステータユニット５において、位置決め部６０は、カバー部材５２に配置されるカバー側位置決め部６２を含む。カバー側位置決め部６２は、カバー部材５２のフランジ部５２３の軸方向下側に配置される。カバー側位置決め部６２の軸方向下端部は、回路基板５４と軸方向に隣接する。この構成によれば、回路基板５４の、カバー部材５２に向かう軸方向変位を抑制することができる。したがって、回路基板５４のセンサー５４１を高精度に位置決めすることができる。
【００５０】
カバー側位置決め部６２は、カバー側凸部６２１を備える。カバー側凸部６２１は、カバー部材５２に配置され、カバー部材５２側から回路基板５４と軸方向に隣接する。カバー側凸部６２１は、カバー部材５２のフランジ部５２３から軸方向下側に向かって突出する。すなわち、本実施形態のカバー側位置決め部６２は、回路基板５４に向かって突出するカバー側凸部６２１を備える。カバー側凸部６２１は、例えば柱状である。カバー側凸部６２１の軸方向下端部は、回路基板５４と軸方向に隣接する。
【００５１】
上記構成によれば、例えば回路基板５４が変形した場合に、カバー側凸部６２１は、センサー５４１の近傍で回路基板５４に接触する。このため、回路基板５４のセンサー５４１の近傍の、カバー部材５２に向かう軸方向変位を抑制することができる。したがって、回路基板５４のセンサー５４１を高精度に位置決めすることができる。
【００５２】
また、カバー部材５２と回路基板５４との間に空間を確保することができ、当該空間を電子部品の配置等に有効活用することが可能になる。
【００５３】
さらに、位置決め部６０の少なくとも一部は、センサー５４１と径方向に重なる。この構成によれば、周方向に関して、位置決め部６０をセンサー５４１にできるだけ接近させることが可能になる。また、位置決め部６０の少なくとも一部は、センサー５４１よりも径方向外側に配置される。この構成によれば、回路基板５４上の電子部品の配置等の自由度を高めることができる。
【００５４】
なお、カバー部材５２のフランジ部５２３の軸方向下側に配置されるカバー側位置決め部６２は、カバー側凸部６２１と異なる構成にしても良い。例えば、フランジ部５２３の軸方向下側に取り付けられる支持具によって、カバー側位置決め部６２を構成することができる。すなわち、カバー側位置決め部６２は、センサー５４１の近傍で、回路基板５４と軸方向に隣接して配置されていれば良い。これにより、回路基板５４のセンサー５４１の近傍の、カバー部材５２に向かう軸方向変位を抑制することができる。
【００５５】
＜３−２．ステータユニットの変形例２＞
図５は、変形例２のステータユニット５の一部を示す縦断面図である。変形例２のステータユニット５において、位置決め部６０は、ベース部５３に配置されるベース側位置決め部６１及びカバー部材５２に配置されるカバー側位置決め部６２を含む。ベース側位置決め部６１は、ベース部５３のベース蓋部５３１の軸方向上側に配置される。ベース側位置決め部６１の軸方向上端部は、回路基板５４と軸方向に隣接する。カバー側位置決め部６２は、カバー部材５２のフランジ部５２３の軸方向下側に配置される。カバー側位置決め部６２の軸方向下端部は、回路基板５４と軸方向に隣接する。
【００５６】
上記構成によれば、回路基板５４の、ベース部５３に向かう軸方向変位と、カバー部材５２に向かう軸方向変位と、を抑制することができる。したがって、回路基板５４のセンサー５４１を高精度に位置決めすることができる。
【００５７】
ベース側位置決め部６１は、ベース側凸部６１１を備える。ベース側凸部６１１は、ベース部５３に配置され、ベース部５３側から回路基板５４と軸方向に隣接する。ベース側凸部６１１は、ベース部５３のベース蓋部５３１から軸方向上側に向かって突出する。すなわち、本実施形態のベース側位置決め部６１は、回路基板５４に向かって突出するベース側凸部６１１を備える。ベース側凸部６１１は、例えば柱状である。ベース側凸部６１１の軸方向上端部は、回路基板５４と軸方向に隣接する。
【００５８】
カバー側位置決め部６２は、カバー側凸部６２１を備える。カバー側凸部６２１は、カバー部材５２に配置され、カバー部材５２側から回路基板５４と軸方向に隣接する。カバー側凸部６２１は、カバー部材５２のフランジ部５２３から軸方向下側に向かって突出する。すなわち、本実施形態のカバー側位置決め部６２は、回路基板５４に向かって突出するカバー側凸部６２１を備える。カバー側凸部６２１は、例えば柱状である。カバー側凸部６２１の軸方向下端部は、回路基板５４と軸方向に隣接する。
【００５９】
上記構成によれば、例えば回路基板５４が変形した場合に、ベース側凸部６１１は、センサー５４１の近傍で回路基板５４に接触する。また例えば回路基板５４が変形した場合に、カバー側凸部６２１は、センサー５４１の近傍で回路基板５４に接触する。このため、回路基板５４のセンサー５４１の近傍の、ベース部５３に向かう軸方向変位と、カバー部材５２に向かう軸方向変位と、のそれぞれを抑制することができる。したがって、回路基板５４のセンサー５４１を高精度に位置決めすることができる。
【００６０】
また、ベース部５３と回路基板５４との間と、カバー部材５２と回路基板５４との間と、のそれぞれに空間を確保することができ、当該空間を電子部品の配置等に有効活用することが可能になる。
【００６１】
ベース側位置決め部６１と、カバー側位置決め部６２との少なくとも一部は、軸方向に重なる。すなわち、ベース側位置決め部６１の軸方向上端と、カバー側位置決め部６２の軸方向下端との、互いの少なくとも一部は、回路基板５４を隔てて軸方向に対向する。この構成によれば、回路基板５４のセンサー５４１の近傍は、軸方向上下のいずれにも変位し難くなる。したがって、回路基板５４のセンサー５４１を、より一層高精度に位置決めすることが可能である。
【００６２】
＜３−３．ステータユニットの変形例３＞
図６は、変形例３のステータユニット５の一部を示す縦断面図である。変形例３のステータユニット５において、位置決め部６０は、ベース部５３に配置されるベース側位置決め部６１を含む。また、位置決め部６０は、ベース側凸部６１１を備える。さらに、ベース側凸部６１１は、軸部６１１１を備える。
【００６３】
軸部６１１１は、ベース側凸部６１１及びカバー側凸部６２１の少なくとも一方の軸方向端部に配置され、軸方向に向かって延びる。軸部６１１１は、例えばベース側凸部６１１よりも周方向または径方向が小さい柱状である。軸部６１１１は、回路基板５４に設けられ、回路基板５４を上下に貫通する孔部５４２または切り欠き部に挿入される。したがって、軸部６１１１を備える位置決め部６０は、回路基板５４に対して周方向に隣接して配置される。
【００６４】
上記構成によれば、例えば回路基板５４が変形または、周方向に変位した場合に、回路基板５４の孔部５４２の内側面は、軸部６１１１の外側面に接触する。このため、回路基板５４のセンサー５４１の近傍の、周方向変位を抑制することができる。したがって、回路基板５４のセンサー５４１を高精度に位置決めすることができる。
【００６５】
＜３−４．ステータユニットの変形例４＞
図７は、変形例４のステータユニット５を示す縦断面図である。変形例４のステータユニット５は、充填部７を備える。充填部７は、少なくともカバー部材５２の内部において、当該カバー部材５２とステータ５１との間に充填される。本実施形態の充填部７は、カバー部材５２の内部及びベース部５３の内部において、当該カバー部材５２及び当該ベース部５３とステータ５１との間に充填される。そして、本実施形態の回路基板５４は、充填部７によって覆われている。充填部７を構成する充填材料としては、例えばシリコーン系樹脂などの合成樹脂材料である。なお、充填部７を構成する充填材料としては、天然ゴムなどの天然樹脂材料であっても良い。
【００６６】
上記構成によれば、充填部７の硬化時及び温度変化時の収縮または膨張によって回路基板５４が変形した場合に、ベース側凸部６１１は、センサー５４１の近傍で回路基板５４に接触する。このため、回路基板５４のセンサー５４１の近傍の、ベース部５３に向かう軸方向変位を抑制することができる。したがって、回路基板５４のセンサー５４１を高精度に位置決めすることができる。また、回路基板５４と位置決め部６０との間に隙間がある場合でも、当該隙間に充填部７の樹脂材料が充填されることで、回路基板５４の位置を安定させることが可能である。
【００６７】
＜３−５．モータの変形例＞
図８は、変形例のモータ４の一部を示す縦断面図である。変形例のモータ４は、ステータユニット５と、ロータ４２と、を備える。ロータ４２は、ステータユニット５と径方向に対向するマグネット４２２とともに中心軸Ｃを中心として回転する。位置決め部６０は、ベース部５３に配置されるベース側位置決め部６１を含む。位置決め部６０は、さらにベース側凸部６１１を備える。
【００６８】
ベース側凸部６１１は、マグネット４２２の軸方向下側に配置される。ベース側凸部６１１の軸方向上端は、マグネット４２２の軸方向下端と軸方向に重なる。すなわち、本実施形態の位置決め部６０の少なくとも一部は、マグネット４２２と軸方向に重なる。さらに、位置決め部６０の少なくとも一部は、センサー５４１と軸方向に重なっても良い。
【００６９】
上記構成によれば、モータ４において、回路基板５４のセンサー５４１を高精度に位置決めすることができる。そして、高精度に位置決めされたセンサー５４１によって、ロータ４２のマグネット４２２の位置を検出することができ、モータ４の回転を高精度に制御することが可能になる。
【００７０】
さらに、ベース側位置決め部６１の少なくとも一部は、センサー５４１と軸方向に重なる。この構成によれば、例えば回路基板５４が変形した場合に、ベース側位置決め部６１は、センサー５４１の直下で回路基板５４に接触する。このため、回路基板５４のセンサー５４１の、ベース部５３に向かう軸方向変位を抑制することができる。したがって、回路基板５４のセンサー５４１をより一層高精度に位置決めすることが可能である。
【００７１】
＜４．その他＞
以上、本発明の実施形態につき説明したが、本発明の範囲はこれに限定されるものではなく、発明の主旨を逸脱しない範囲で種々の変更を加えて実施することができる。また、上記実施形態とその変形例は適宜任意に組み合わせることができる。
【産業上の利用可能性】
【００７２】
本発明は、例えばファンモータにおいて利用可能である。
【符号の説明】
【００７３】
１・・・ファンモータ、２・・・ハウジング、３・・・インペラ、４・・・モータ、５・・・ステータユニット、７・・・充填部、２１・・・ハウジング筒部、２２・・・リブ部、３１・・・インペラカップ、３２・・・羽根、４１・・・シャフト、４２・・・ロータ、５１・・・ステータ、５２・・・カバー部材、５３・・・ベース部、５４・・・回路基板、５５・・・軸受ホルダ、５６・・・軸受、６０・・・位置決め部、６１・・・ベース側位置決め部、６２・・・カバー側位置決め部、２１１・・・吸気口、２１２・・・排気口、４２１・・・ロータヨーク、４２２・・・マグネット、５１１・・・ステータコア、５１２・・・インシュレータ、５１３・・・コイル、５２１・・・カバー蓋部、５２２・・・カバー筒部、５２３・・・フランジ部、５３１・・・ベース蓋部、５３２・・・ベース内筒部、５３３・・・ベース外筒部、５４１・・・センサー、５４２・・・孔部、６１１・・・ベース側凸部、６２１・・・カバー側凸部、６１１１・・・軸部、Ｃ・・・中心軸
【図１】
2020088990.tif 000003
【図２】
2020088990.tif 000004
【図３】
2020088990.tif 000005
【図４】
2020088990.tif 000006
【図５】
2020088990.tif 000007
【図６】
2020088990.tif 000008
【図７】
2020088990.tif 000009
【図８】
2020088990.tif 000010